(57)【特許請求の範囲】
【請求項１】
コアネットワークと、複数の移動デバイスと通信することができる基地局とを有する通信ネットワークにおいて用いる通信ノードであって、前記基地局は、メンバーシップに基づくアクセスモード及び非メンバーシップに基づくアクセスモードを有し、該通信ノードは、
前記基地局が前記メンバーシップに基づくアクセスモードで動作しているときに、前記基地局に関連付けられたメンバーシップ識別子のリストを記憶するメモリと、
前記基地局が前記メンバーシップに基づくアクセスモードから前記非メンバーシップに基づくアクセスモードに変化したことを示す構成メッセージを前記基地局から受信する通信モジュールと、
前記受信された構成メッセージを処理し、前記基地局が前記メンバーシップに基づくアクセスモードから前記非メンバーシップに基づくアクセスモードに変化したと判断し、そのような判断に応答して、前記基地局に関連付けられた前記記憶されたメンバーシップ識別子のリストを削除するように動作可能な制御モジュールと、を備え、
前記構成メッセージは、メンバーシップ識別子のリストを該構成メッセージに含まないことによって、前記基地局が前記メンバーシップに基づくアクセスモードから前記非メンバーシップに基づくアクセスモードに変化したことを示す通信ノード。
【請求項２】
前記構成メッセージは、前記非メンバーシップに基づくアクセスモードへの前記モードの変化を示すデータを含むことによって、前記基地局が前記メンバーシップに基づくアクセスモードから前記非メンバーシップに基づくアクセスモードに変化したことを示す、請求項１に記載の通信ノード。
【請求項３】
複数の移動デバイス及びコアネットワークと通信する基地局であって、該基地局は、メンバーシップに基づくアクセスモード及び非メンバーシップに基づくアクセスモードを有し、
該基地局を介して前記コアネットワークに接続するために移動加入者を登録するように構成された移動加入者登録モジュールと、
該基地局が前記メンバーシップに基づくアクセスモードで動作するときに、該基地局に関連付けられたメンバーシップ識別子のリストを管理するように構成された管理モジュールと、
前記コアネットワークに構成メッセージを送信するように構成された基地局登録モジュールと、
を備え、前記管理モジュールは、該基地局の前記アクセスモードが前記非メンバーシップに基づくアクセスモードに変化したときに、前記メンバーシップ識別子のリストを削除するように構成され、前記基地局登録モジュールは、該基地局が前記メンバーシップに基づくアクセスモードから前記非メンバーシップに基づくアクセスモードに変化したことを示す構成メッセージを前記コアネットワークに送信するように構成され、
前記構成メッセージは、メンバーシップ識別子のリストを該メッセージに含まないことによって、該基地局が前記メンバーシップに基づくアクセスモードから前記非メンバーシップに基づくアクセスモードに変化したことを示す、基地局。
【請求項４】
前記構成メッセージは、前記非メンバーシップに基づくアクセスモードへの前記モードの変化を示すデータを含むことによって、該基地局が前記メンバーシップに基づくアクセスモードから前記非メンバーシップに基づくアクセスモードに変化したことを示す、請求項３に記載の基地局。
【請求項５】
コアネットワークと、複数の移動デバイスと通信することができる基地局とを有する通信ネットワークにおいて用いる通信ノードで実行される方法であって、前記基地局は、メンバーシップに基づくアクセスモード及び非メンバーシップに基づくアクセスモードを有し、前記方法は、
前記基地局が前記メンバーシップに基づくアクセスモードで動作しているときに、前記基地局に関連付けられたメンバーシップ識別子のリストを記憶し、
前記基地局が前記メンバーシップに基づくアクセスモードから前記非メンバーシップに基づくアクセスモードに変化したことを示す構成メッセージを前記基地局から受信し、
前記受信した構成メッセージを処理し、前記基地局が前記メンバーシップに基づくアクセスモードから前記非メンバーシップに基づくアクセスモードに変化したと判断し、そのような判断に応答して、前記基地局に関連付けられた前記記憶されたメンバーシップ識別子のリストを削除し、
前記構成メッセージは、メンバーシップ識別子のリストを該メッセージに含まないことによって、前記基地局が前記メンバーシップに基づくアクセスモードから前記非メンバーシップに基づくアクセスモードに変化したことを示す方法。
【請求項６】
複数の移動デバイス及びコアネットワークと通信するために基地局で実行される方法であって、該基地局は、メンバーシップに基づくアクセスモード及び非メンバーシップに基づくアクセスモードを有し、
前記方法は、
該基地局を介して前記コアネットワークに接続するために移動加入者を登録し、
該基地局が前記メンバーシップに基づくアクセスモードで動作するときに、該基地局に関連付けられたメンバーシップ識別子のリストを管理し、
前記コアネットワークに構成メッセージを送信して、
前記基地局の前記アクセスモードが前記非メンバーシップに基づくアクセスモードに変化したときに、前記メンバーシップ識別子のリストを削除し、
前記基地局が前記メンバーシップに基づくアクセスモードから前記非メンバーシップに基づくアクセスモードに変化したことを示す構成メッセージを前記コアネットワークに送信し、
前記構成メッセージは、メンバーシップ識別子のリストを該メッセージに含まないことによって、前記基地局が前記メンバーシップに基づくアクセスモードから前記非メンバーシップに基づくアクセスモードに変化したことを示す方法。
【請求項７】
プログラマブルプロセッサを請求項５又は６に記載の方法を実行させるようにプログラムされたコンピュータープログラム。
【発明の詳細な説明】
【技術分野】
【０００１】
本発明は移動電気通信ネットワークに関し、限定はしないが、特に、第３世代パートナーシッププロジェクト（３ＧＰＰ：3rd Generation Partnership Project）標準規格又はその等価物若しくは派生物に従って動作するネットワークに関する。本発明は、限定はしないが、特に、基地局間の移動デバイスのハンドオーバーの管理に関連する。
【背景技術】
【０００２】
３ＧＰＰ標準規格の下で、ＮｏｄｅＢ（又はＬＴＥにおいてはｅＮＢ）は、移動デバイスがコアネットワークに接続する際に経由する基地局である。最近では、３ＧＰＰ標準化団体は、公式のアーキテクチャを採用し、ホーム基地局（ＨＮＢ：home base station）のための新たな標準規格に対する取り組みを始めた。ホーム基地局がロングタームエボリューション（ＬＴＥ：Long Term Evolution）標準規格に従って動作している場合、ＨＮＢはＨｅＮＢと呼ばれることがある。同様のアーキテクチャがＷｉＭＡＸネットワークにも適用される。この場合、ホーム基地局は一般にフェムトセルと呼ばれる。単純にするために、本出願ではＨＮＢという用語を用いて任意のそのようなホーム基地局を指し、ＮｏｄｅＢという用語を総称的に用いて他の基地局（ＨＮＢが動作するマクロセルの基地局等）を指す。ＨＮＢは自宅、中小企業、ショッピングモール等内の無線カバレッジ（例えば３Ｇ／４Ｇ／ＷｉＭＡＸ）を提供し、適切な公衆ネットワーク（例えばインターネットへのＡＤＳＬリンク）又はオペレーターネットワークを介してコアネットワークへ接続し、３ＧＰＰ標準規格の場合は、通常いくつかのＨＮＢからのトラフィックを集約するオプションのＨＮＢゲートウェイ（ＨＮＢ−ＧＷ）を介してコアネットワークへ接続する。
【０００３】
ＨＮＢは複数のアクセスモードの一つで動作するように構成することができる。すなわち、複数のアクセスモードは、ＨＮＢがクローズド加入者グループ（ＣＳＧ：closed subscriber group）セルとして動作する「クローズド」アクセスモード、ＨＮＢがＣＳＧセルとして動作するが、同時に非メンバーもアクセスを許される「ハイブリッド」アクセスモード、及びＨＮＢが通常の（非ＣＳＧ）セルとして動作する「オープン」アクセスモードを含んでいる。
【０００４】
ＨＮＢ及びコアネットワーク内の移動管理エンティティ（ＭＭＥ：mobility management entity）は、所与のＨＮＢに現在割り当てられているクローズド加入者グループ識別子（ＣＳＧ−Ｉｄ：Closed Subscriber Group Identifier）のリストを維持する。各ＣＳＧ−識別子、即ち、ＣＳＧ−Ｉｄは、或る特定の加入者グループにのみ開放している無線ネットワーク内の単一のセル又はセルの集合体を含むクローズド加入者グループを識別する。ＨＮＢは、Ｓ１インターフェースを介してＭＭＥにそのＣＳＧ−Ｉｄのリストを送信する。その詳細は、非特許文献１に記載されている。ＭＭＥは、所与のＨＮＢ用の受信されたＣＳＧ−Ｉｄリストを記憶する。
【０００５】
移動デバイス（ユーザー機器ＵＥ（：User equipment）としても知られている）が或る加入者グループのメンバーであるとき、そのグループ用のＣＳＧ−Ｉｄが、ＵＥ及びＭＭＥによって記憶されているホワイトリストに追加される。ＵＥとＨＮＢとの間に接続が確立される時、ＨＮＢは、初期ＵＥメッセージをコアネットワーク内のＭＭＥに送信する。ＨＮＢが、クローズドモード又はハイブリッドモードで動作するように構成されている場合、初期ＵＥメッセージは、そのＵＥ用のクローズド加入者グループ識別子ＣＳＧ−Ｉｄを含む。ＭＭＥは、初期ＵＥメッセージにおいて受信されたＣＳＧ−Ｉｄと、ＨＮＢからＳ１インターフェース上で受信されたＣＳＧ−Ｉｄリストと、ホーム加入者サーバー（ＨＳＳ：Home Subscriber Server）内にＵＥ用に記憶されたＣＳＧ−Ｉｄリストとに基づいて、アクセス制御を実行する。初期ＵＥメッセージにおいて受信されたＣＳＧ−Ｉｄがその所与のＵＥ用のホワイトリストにあることと、その所与のＨＮＢがこのＣＳＧ−Ｉｄによって示された加入者グループに開放していることをＭＭＥが検証した場合、ＵＥはアクセスを許可される。
【０００６】
ＣＳＧ−Ｉｄと、移動態様（mobility aspects）と、セル選択手順との更なる詳細は、非特許文献２及び非特許文献３の文書に記載されている。
【先行技術文献】
【非特許文献】
【０００７】
【非特許文献１】３ＧＰＰ標準規格ＴＳ３６．４１３  バージョン１０．２．０（２０１１−０６-−２４）：「S1 Application Protocol (S1AP) (Release 10)」
【非特許文献２】３ＧＰＰ標準規格ＴＳ２３．００３  バージョン１０．２．０（２０１１−０６−１５）：「Numbering, addressing and identification (Release 10)」
【非特許文献３】３ＧＰＰ標準規格ＴＳ２２．０１１  バージョン８．９．０（２００９−１０−０１）：「Service accessibility (Release 8)」
【発明の概要】
【発明が解決しようとする課題】
【０００８】
上記３ＧＰＰ標準規格の文書は、ＣＳＧ−Ｉｄを含むリストが変化する場合、例えば、ＨＮＢのセルがＣＳＧ−Ｉｄに追加されるとき又はＣＳＧ−Ｉｄから除去されるときのＨＮＢ及びＭＭＥにおける手順を記載している。手短に言えば、現行の手順は、ＭＭＥに記憶されたリストにＣＳＧ−Ｉｄを追加するために、ＨＮＢは、リストに追加される新たなＣＳＧ−Ｉｄを含むとともに、リスト上に維持されるＣＳＧ−Ｉｄも含んだ、ＨＮＢの現在の全てのＣＳＧ−Ｉｄを包含した新たなリストを送信するようになっている。変更をＣＳＧ−Ｉｄリストに登録するために、ＭＭＥは、この新たなリストを受信すると、前のリストを廃棄し、受信した新たなリストを保存する。このように、いずれかのＣＳＧ−Ｉｄを削除するには、ＨＮＢは、除去されるＣＳＧ−Ｉｄを除く全てのＣＳＧ−Ｉｄを包含するリストを送信する必要がある。しかしながら、本発明者らは、この現行の手順に関する問題を認識している。すなわち、クローズド加入者グループアクセスモード又はハイブリッドアクセスモードで動作している或るＨＮＢがオープン（非ＣＳＧ）アクセスモードに変化するとき、新たなリストを送信することなく、ＣＳＧ−Ｉｄの既存のリストを廃棄するようにＭＭＥに知らせる方法がないということと、ＨＮＢがオープンモードで現在動作しているときに、ＨＮＢには、送信するＣＳＧ−Ｉｄリストがないということとを認識している。さらに、ＨＮＢが、そのＭＭＥとの通信からＣＳＧリストを省略した場合、ＭＭＥには、現在のリストを廃棄する必要があることが分からない。したがって、この問題を克服することが必要とされている。
【０００９】
当業者の理解を容易にするために、本発明は３Ｇシステム（ＵＭＴＳ、ＬＴＥ）との関連で詳細に説明されるが、本発明の原理は、システムの対応する要素を必要に応じて変更して、移動デバイス又はユーザー機器（ＵＥ）が幾つかの基地局のうちの１つと通信する他のシステム（ＷｉＭＡＸ等）にも適用することができる。
【００１０】
したがって、本発明の好ましい実施の形態は、上記の問題を克服するか、又は少なくとも緩和する方法及び装置を提供することを目的とする。
【課題を解決するための手段】
【００１１】
一態様において、コアネットワークと、複数の移動デバイスと通信することができる基地局とを有する通信ネットワークにおいて用いる通信ノードであって、前記基地局は、メンバーシップに基づくアクセスモード及び非メンバーシップに基づくアクセスモードを有し、通信ノードは、
前記基地局が上記メンバーシップに基づくアクセスモードで動作しているときに、前記基地局に関連付けられたメンバーシップ識別子のリストを記憶するメモリと、
前記基地局がメンバーシップに基づくアクセスモードから非メンバーシップに基づくアクセスモードに変化したことを示す構成(configuration)メッセージを前記基地局から受信する通信モジュールと、
受信された構成メッセージを処理し、上記基地局がメンバーシップに基づくアクセスモードから非メンバーシップに基づくアクセスモードに変化したと判断し、そのような判断に応答して、前記基地局に関連付けられた記憶されたメンバーシップ識別子のリストを削除するように動作可能な制御モジュールと、
を備える、通信ノードが得られる。
【００１２】
一実施形態において、前記構成メッセージは、メンバーシップ識別子のリストをメッセージに含まないことによって、前記基地局がメンバーシップに基づくアクセスモードから非メンバーシップに基づくアクセスモードに変化したことを示す。別の実施形態において、前記構成メッセージは、非メンバーシップに基づくアクセスモードへのモードの変化を示すデータを含むことによって、基地局がメンバーシップに基づくアクセスモードから上記非メンバーシップに基づくアクセスモードに変化したことを示す。
【００１３】
一態様において、コアネットワークと、複数の移動デバイスと通信することができる基地局とを有する通信ネットワークにおいて用いる通信ノードであって、前記基地局は、メンバーシップに基づくアクセスモード及び非メンバーシップに基づくアクセスモードを有し、前記通信ノードは、
前記基地局が上記メンバーシップに基づくアクセスモードで動作しているときに、前記基地局に関連付けられたメンバーシップ識別子のリストを記憶するメモリと、
前記基地局から前記構成メッセージを受信する通信モジュールであって、前記構成メッセージは、上記リストから削除される１つ又は複数のメンバーシップ識別子を含む、通信モジュールと、
上記メモリに記憶されたメンバーシップ識別子の前記リストから上記１つ又は複数のメンバーシップ識別子を削除する制御モジュールと、
を備える、通信ノードが得られる。
【００１４】
一実施形態において、前記構成メッセージは、前記コアネットワークに記憶されたリストに追加される１つ又は複数のメンバーシップ識別子を更に含み、上記制御モジュールは、１つ又は複数のメンバーシップ識別子を、上記メモリに記憶されたメンバーシップ識別子のリストに追加するように構成されている。別の実施形態において、前記構成メッセージは、前記コアネットワークに記憶された前記リストに維持される１つ又は複数のメンバーシップ識別子を更に含み、上記制御モジュールは、前記リストに維持される上記１つ又は複数のメンバーシップ識別子を維持するように構成されている。前記構成メッセージはＥＮＢ構成更新メッセージを含んでいる。
【００１５】
ＬＴＥシステムにおいて、通信ノードは移動管理エンティティである。
【００１６】
別の態様によれば、コアネットワークと、複数の移動デバイスと通信することができる基地局とを有する通信ネットワークにおいて用いる通信ノードであって、この基地局は、メンバーシップに基づくアクセスモード及び非メンバーシップに基づくアクセスモードを有し、通信ノードは、
前記基地局が上記メンバーシップに基づくアクセスモードで動作しているときに、基地局に関連付けられたメンバーシップ識別子のリストを記憶するメモリと、
当該通信ノードが上記メモリに記憶されたメンバーシップ識別子の前記リストを更新すべきか、維持すべきか、又は削除すべきかを示す構成メッセージを基地局から受信する通信モジュールと、
受信された構成メッセージを処理し、受信された構成メッセージに応じて、上記メモリに記憶されたメンバーシップ識別子の前記リストを更新するか、維持するか、又は削除するように動作可能な制御モジュールと、
を備える、通信ノードが得られる。
【００１７】
前記制御モジュールは、受信された構成メッセージ内に含まれるリストを用いてメンバーシップリストを上書きすることによって前記リストを更新するように構成することができる。前記制御モジュールは、記憶されたメンバーシップ識別子のリストを保存することによってメンバーシップリストを維持するように構成することができる。前記制御モジュールは、メンバーシップリストをメモリから除去して、メンバーシップ識別子のリストが基地局用にメモリに記憶されていない状態にすることによって前記リストを削除するように構成することができる。
【００１８】
別の態様において、複数の移動デバイス及びコアネットワークと通信する基地局であって、この基地局は、メンバーシップに基づくアクセスモード及び非メンバーシップに基づくアクセスモードを有し、
前記基地局を介してコアネットワークに接続するために移動加入者を登録するように構成された移動加入者登録モジュールと、
前記基地局が上記メンバーシップに基づくアクセスモードで動作するときに、基地局に関連付けられたメンバーシップ識別子のリストを管理するように構成された管理モジュールと、
前記コアネットワークに構成メッセージを送信するように構成された基地局登録モジュールと、
を備え、
前記管理モジュールは、基地局のアクセスモードが非メンバーシップに基づくアクセスモードに変化したときに、メンバーシップ識別子のリストを削除するように構成され、前記基地局登録モジュールは、基地局がメンバーシップに基づくアクセスモードから非メンバーシップに基づくアクセスモードに変化したことを示す構成メッセージをコアネットワークに送信するように構成されている、基地局が得られる。
【００１９】
前記構成メッセージは、メンバーシップ識別子のリストをメッセージに含まないことによって、基地局がメンバーシップに基づくアクセスモードから非メンバーシップに基づくアクセスモードに変化したことを示すことができる。代替的に、前記構成メッセージは、非メンバーシップに基づくアクセスモードへのモードの変化を示すデータを含むことによって、前記基地局がメンバーシップに基づくアクセスモードから非メンバーシップに基づくアクセスモードに変化したことを示すことができる。
【００２０】
更なる態様において、複数の移動デバイス及びコアネットワークと通信する基地局であって、この基地局は、メンバーシップに基づくアクセスモード及び非メンバーシップに基づくアクセスモードを有し、
前記基地局が上記メンバーシップに基づくアクセスモードで動作するときに、基地局に関連付けられたメンバーシップ識別子のリストを管理するように構成された管理モジュールと、
コアネットワークに構成メッセージを送信するように構成された基地局登録モジュールであって、前記構成メッセージは、コアネットワークに記憶するメンバーシップ識別子のリストを含む、基地局登録モジュールと、
を備え、
基地局登録モジュールは、クローズド加入者グループ管理モジュールによるメンバーシップ識別子のリスト内の変更に応答して、コアネットワークに記憶されたリストから削除される１つ又は複数のメンバーシップ識別子を含む後続の構成メッセージをコアネットワークに送信するように構成されている、基地局が得られる。
【００２１】
一実施形態において、前記構成メッセージは、コアネットワークに記憶されたリストに追加される１つ又は複数のメンバーシップ識別子を更に含む。前記構成メッセージは、コアネットワークに記憶されたリストに維持される１つ又は複数のメンバーシップ識別子を更に含むことができる。
【００２２】
メンバーシップに基づくアクセスモードは、クローズド加入者グループアクセスモード又はハイブリッドアクセスモードのいずれかを含むことができ、非メンバーシップに基づくアクセスモードは、オープンアクセスモードを含むことができる。
【００２３】
更なる態様において、複数の移動デバイス及びコアネットワークと通信する基地局であって、この基地局は、メンバーシップに基づくアクセスモード及び非メンバーシップに基づくアクセスモードを有し、
前記基地局が上記メンバーシップに基づくアクセスモードで動作するときに、前記基地局に関連付けられたメンバーシップ識別子のリストを管理するように構成された管理モジュールと、
コアネットワークに構成メッセージを送信するように構成された基地局登録モジュールであって、構成メッセージは、コアネットワークに記憶するメンバーシップ識別子のリストを含む、基地局登録モジュールと、
を備え、
基地局登録モジュールは、クローズド加入者グループ管理モジュールによるメンバーシップ識別子のリスト内の変更に応答して、前記コアネットワークが当該コアネットワークに記憶されたメンバーシップ識別子のリストを更新すべきか、維持すべきか、又は削除すべきかを示す後続の構成メッセージをコアネットワークに送信するように構成されている、基地局が得られる。
【００２４】
本発明は、複数の移動デバイスと、上述した態様及び可能性にあるような基地局と、上述した態様及び可能性のいずれかによる移動管理エンティティとを備える通信システムも得られる。
【００２５】
本発明の態様は、記憶された命令を有するコンピューター可読記憶媒体のようなコンピュータープログラム製品にまで及ぶ。この場合、コンピュータープログラム製品は、上記で示した態様、又は特許請求の範囲において記載される態様及び可能な形態において記述されるような方法を実行するようにプログラマブルプロセッサをプログラムするように、及び／又は特許請求の範囲のいずれかの請求項において記載される装置を提供するように適切に構成されたコンピューターをプログラムするように動作可能である。
【００２６】
次に、本発明の実施形態を、例として、添付の図面を参照しながら説明する。
【図面の簡単な説明】
【００２７】
【図１】移動電気通信システムを示す概略図である。
【図２】図１に示されるシステムの一部を形成するホーム基地局のブロック図である。
【図３】図１に示されるシステムの一部を形成する移動管理エンティティ（ＭＭＥ）のブロック図である。
【図４】関連技術による、ＭＭＥが記憶されたＣＳＧ−Ｉｄリストを更新する手順を示すシグナリング図である。
【図５】本発明の一実施形態による、ＭＭＥが記憶されたＣＳＧ−Ｉｄリストを更新する手順を示すシグナリング図である。
【図６】本発明の別の実施形態による、ＭＭＥが記憶されたＣＳＧ−Ｉｄリストを更新する手順を示すシグナリング図である。
【図７】本発明の別の実施形態による、ＭＭＥが記憶されたＣＳＧ−Ｉｄリストを更新する手順を示すシグナリング図である。
【図８】本発明の別の実施形態による、ＭＭＥが記憶されたＣＳＧ−Ｉｄリストを更新する手順を示すシグナリング図である。
【図９】以下の８．７．４．２  成功動作の下での成功動作の際のＥＮＢ構成更新手順を示す図である。
【図１０】以下の８．７．４．３  不成功動作の下での不成功動作の際のＥＮＢ構成更新手順を示す図である。
【図１１】以下の１９．２．２．９  ｅＮＢ構成更新手順の下でのｅＮＢ構成更新手順を示す図である。
【発明を実施するための形態】
【００２８】
概略
図１は、移動電話３（又は他のユーザー機器（ＵＥ））のユーザーが、３Ｇ無線アクセスネットワーク（ＲＡＮ：Radio Access Network）の基地局５のマクロセル及びコア電話ネットワーク８を介して他のユーザー（図示せず）と通信することができる移動（セルラー）電気通信システム１を概略的に示している。ＵＥ３は、「ホーム」基地局（ＨＮＢ）１１のカバレッジエリアにいるとき、ＨＮＢ１１を拠点とするセル９にアクセスすることを許可されている場合もある。この例では、ＨＮＢ１１は、コア電話ネットワーク８に直接結合されているが、オプションのホーム基地局ゲートウェイ（図示せず）を介して公衆データネットワーク（例えば、インターネット）によって結合されている場合もある。
【００２９】
この例では、ＨＮＢ１１は、当該ＨＮＢ１１に関連付けられた１つ又は複数のクローズド加入者グループ（ＣＳＧ）のメンバーのみがアクセスを許可される「クローズド」モードで動作することができる。ＨＮＢ１１は、当該ＨＮＢ１１に関連付けられたＣＳＧのメンバー及び非メンバーの双方がアクセスを許可される「ハイブリッド」モードで動作することもできる。これらの動作モードの双方において、ＨＮＢ１１は、アクセスを許可されるメンバーのＣＳＧ−Ｉｄのリストを維持する。ＵＥ３が属する加入者グループがこのリストにある場合、このＵＥはアクセスを許可される。この加入者グループがリストにない場合、ＵＥ３は、クローズドモードで動作しているときはアクセスを許可されず、ハイブリッドモードで動作しているときは「非メンバー」としてのみアクセスを許可される。ＨＮＢ１１は、「オープン」モードで動作することもでき、このオープンモードでは、いずれのＵＥ３も、当該ＵＥ３がクローズド加入者グループのメンバーであるか否かにかかわらず、アクセスを許可される。
【００３０】
よく知られているように、ＵＥ３が、電気通信システム１によってカバーされる地理的エリア内を移動しているとき、ＵＥ３は、ＨＮＢ１１に関連付けられたセル９を出入りする場合がある。ＵＥを追跡するとともに、異なる基地局間の移動を容易にするために、コアネットワーク８は、当該コアネットワーク８に結合された基地局と通信する移動管理エンティティ（ＭＭＥ）６を備える。
【００３１】
ホーム基地局
図２は、図１に示すホーム基地局（ＨＮＢ）１１の主要構成要素を示すブロック図である。図示されるように、ＨＮＢ１１は、１つ又は複数のアンテナ２０３を介してＵＥ３に対し信号を送受信するように動作可能であり、かつＭＭＥインターフェース２０５を介してＭＭＥ６に対し信号を送受信するように動作可能な送受信機回路部２０１を備える。送受信機回路部２０１の動作は、メモリ２０９内に記憶されているソフトウェアに従ってコントローラー２０７によって制御される。このソフトウェアには、中でも、オペレーティングシステム２１１、基地局登録モジュール２１３、ＵＥ登録モジュール２１５、及びＣＳＧ管理モジュール２１７が含まれる。
【００３２】
基地局登録モジュール２１３は、ＨＮＢ１１をＭＭＥ６に登録する役割を持ち、ＵＥ登録モジュール２１５は、ＵＥ３をＨＮＢ１１に登録する役割を有する。ＣＳＧ管理モジュール２１７は、ＣＳＧアクセスモード（「クローズド」、「ハイブリッド」、又は「オープン」）のうちの１つの下で動作するようにＨＮＢ１１を構成することと、ＨＮＢ１１に関連付けられたＣＳＧをセットアップする役割を持つ。
【００３３】
ＭＭＥ
図３は、図１に示す移動管理エンティティ（ＭＭＥ）６の主要な構成要素を示すブロック図である。図示するように、ＭＭＥ６は、ＨＮＢインターフェース３０２及びコアネットワークインターフェース３０５をそれぞれ介してＨＮＢ１１及びコアネットワーク８に対して信号を送受信するように動作可能な送受信機回路部３０１を備える。送受信機回路部３０１の動作は、メモリ３０９に記憶されたソフトウェアに従ってコントローラー３０７によって制御される。このソフトウェアは、特に、オペレーティングシステム３１１、通信モジュール３１３、及び制御モジュール３１５を含む。このメモリは、データベース３１７も記憶している。
【００３４】
通信モジュール３１３は、ＨＮＢインターフェース３０２を介してＨＮＢ１１と通信する役割と、コアネットワークインターフェース３０５を介してコアネットワーク８と通信する役割を有する。制御モジュール３１５は、ＵＥ３と１つ又は複数の加入者グループとの間の関連付けをデータベース３１７に記録する役割を有し、また、ＨＮＢ１１から受信されたＣＳＧ−Ｉｄのリストを記録及び更新する役割も持つ。事実上、ＭＭＥ６は、ネットワークのための制御ノードとして動作し、ＨＮＢ１１等の基地局を介してＵＥ３にアクセスを付与する役割を持つ。
【００３５】
上記説明では、ＭＭＥ６及びホーム基地局１１は、理解を容易にするために、複数の別々のモジュール（例えば、基地局／電話登録モジュール及びＣＳＧ管理モジュール等）を有するものとして説明されている。これらのモジュールは、或る特定の用途の場合、例えば、既存のシステムが本発明を実施するように修正されている場合には、このように提供することができるが、他の用途、例えば、本発明の特徴を最初から考慮に入れて設計されたシステムでは、これらのモジュールは、全体的なオペレーティングシステム又はコード内に組み込むことができ、その結果、これらのモジュールは、別々のエンティティとして認識することができない場合がある。
【００３６】
動作
ＨＮＢ１１とＭＭＥ６との間に通信リンクをセットアップするために、ＨＮＢ１１は、構成要求を送信する。この構成要求は、Ｓ１インターフェース（すなわち、ＨＮＢ１１とＭＭＥ６との間のインターフェース）上におけるＨＮＢ１１及びＭＭＥ６の相互運用性に必要なアプリケーションレベル構成データを含む。ＨＮＢ１１がクローズドモード又はハイブリッドモードで動作している場合、この構成要求は、ＨＮＢ１１に関連付けられたＣＳＧ−Ｉｄのリストを有する情報要素（ＩＥ：Information Element）も含む。ＭＭＥ６は、受信したＣＳＧ−Ｉｄリストを自身のデータベース３１７に記憶する。
【００３７】
ＵＥ３は、様々な加入者グループのメンバーである場合があり、これらの加入者グループのそれぞれも、１つのＣＳＧ−Ｉｄ又は幾つかのＣＳＧ−Ｉｄに関連付けられている。ＭＭＥ６及びＵＥ３は、「ホワイトリスト」、すなわち、ＵＥ３のメンバーシップに関係した情報を記憶する。このホワイトリストは、クローズド加入者グループモード又はハイブリッドモードで動作しているＨＮＢ１１へのＵＥ３によるアクセスを制御するのに用いられる。所与のＵＥ３についてのＣＳＧ−Ｉｄがホワイトリストにあるということは、クローズド加入者グループがこの所与のＵＥ３に開放していることを示している。
【００３８】
ＵＥ３は、ＨＮＢ１１に登録されるとき、ＲＲＣ接続セットアップ手順を実行する。ＨＮＢ１１は、次に、そのＣＳＧ−Ｉｄを含めた初期ＵＥメッセージをＭＭＥに送信する。ＭＭＥ６は、受信したＣＳＧ−Ｉｄを、ＵＥ３用のホワイトリスト（ＨＳＳに記憶されており、図示せず）と比較し、また、ＨＮＢの登録時又はその後の再構成時にＨＮＢ１１から受信されて、データベース３１７に記憶されているＣＳＧ−Ｉｄリストが、初期ＵＥメッセージにおいて受信されたＣＳＧ−Ｉｄを含むか否かも検査する。ＣＳＧ−ＩｄリストがＣＳＧ−Ｉｄを含む場合、ＭＭＥ６は、ＵＥがＨＮＢ１１を通じてコアネットワーク８にアクセスすることを許可する。そうでない場合、ＵＥはアクセスを許可されず、初期ＵＥメッセージは拒否される。
【００３９】
ＭＭＥ６からの応答に応じて、ＨＮＢ１１は、ＵＥ３のアクセスを許可又は拒絶する。
【００４０】
ＥＮＢ構成更新
ＨＮＢ１１のＣＳＧ−Ｉｄリストが変化するときはいつでも、例えば、そのセルが或る特定のクローズド加入者グループに追加されるか又は或る特定のクローズド加入者グループから除去されるときに、ＨＮＢ１１は、更新されたＣＳＧ−ＩｄリストをＳ１インターフェースを介してＭＭＥ６に送信する。ＨＮＢ１１及びＭＭＥ６は、ＥＮＢ構成更新手順を用いる。この手順については、以下でより詳細に説明する。
【００４１】
図４は、現行の構成更新手順を示すタイミング図である。図示するように、ＨＮＢ１１は、ステップｓ４０においてＳ１セットアップ要求メッセージを送信することによって、ＭＭＥ６との接続を開始する。このＳ１セットアップ要求メッセージは、ＨＮＢ１１に現在関連付けられているＣＳＧ−Ｉｄ（この例では：＜ＩＤ１，ＩＤ２，ＩＤ３＞）を含む。ステップｓ４１において、ＭＭＥ６は、受信したＣＳＧ−Ｉｄリストを自身のデータベース３１７に記憶する。ＣＳＧ−Ｉｄリスト内の変化が起こったときはいつでも、ＨＮＢ１１は、ステップｓ４２に示すように、ＥＮＢ構成更新メッセージを送信する。ＭＭＥ６においてＣＳＧ−Ｉｄリストを更新するために、ＨＮＢ１１は、維持する必要がある全てのＣＳＧ−Ｉｄ、この例では＜ＩＤ１，ＩＤ２＞を含む。ＨＮＢ１１は、以前に送信されたリストに追加されることになるあらゆる新たなＣＳＧ−Ｉｄ、この事例ではＣＳＧ−Ｉｄ＜ＩＤ４＞も含める。ＭＭＥ６は、更新されたＣＳＧ−Ｉｄリストを受信すると、ステップｓ４３において、自身の記憶されたＣＳＧ−Ｉｄリストを削除する。ステップｓ４５において、ＭＭＥ６は、新たなＣＳＧ−Ｉｄリストを記憶する。この新たなＣＳＧ−Ｉｄリストは、ＣＳＧ−Ｉｄ＜ＩＤ３＞をもはや含まないが、前のＣＳＧ−Ｉｄ＜ＩＤ１，ＩＤ２＞に加えて、新たなＣＳＧ−Ｉｄ＜ＩＤ４＞を含む。ＣＳＧ−Ｉｄリストを更新することに成功したことをＨＮＢ１１に示すために、ＭＭＥ６は、ステップｓ４７においてＥＮＢ構成更新肯定応答メッセージを返す。受信されたＥＮＢ構成更新メッセージに関して何らかの問題がある場合、ＭＭＥ６は、（ステップｓ４７の代わりに）ステップｓ４９においてＥＮＢ構成更新エラーメッセージを返すように構成されている。
【００４２】
ＥＮＢ構成更新シグナリングメッセージにおいて用いることができる一般的な情報要素のうちの幾つかを以下の表１に示す。ＣＳＧ−Ｉｄリスト情報要素が行５に示され、ＣＳＧ−Ｉｄが行５．１に列挙されている。残りの行は、ＭＭＥ６が標準的な手順に従って動作しているときに受信する必要がある、ＨＮＢ１１に関係した情報を含む。これらの他の情報要素の意味及び使用法は、当業者によく知られており、本発明の中核を成すものではない。
【００４３】
【表１】
0005818047.tif 000002
【００４４】
図４による手順は、ＨＮＢ１１のクローズドアクセスモード又はハイブリッドアクセスモードの場合、すなわち、ＣＳＧ−ＩｄのリストがＵＥ３にアクセスを提供するのに必要とされるときに適用可能である。オープンアクセスモードの場合には、ステップｓ４０及びｓ４２は、ＣＳＧ−Ｉｄリストを搬送しない。すなわち、表１の行５及び５．１は、ＥＮＢ構成更新メッセージに存在せず、行１〜４．２．１の内容等の、ＭＭＥ６に関連のある他の情報のみが存在する。したがって、ＭＭＥ６は、現行の３ＧＰＰ標準規格の文書類に従って動作している場合、ステップｓ４３及びｓ４５を省き、ＨＮＢ１１用のＣＳＧ−Ｉｄリストを受信していないので、このＣＳＧ−Ｉｄリストを記憶しない。一方、ステップｓ４３における既存のＣＳＧ−Ｉｄリストの削除も行われない。なぜならば、この削除は、先行ステップｓ４２におけるＣＳＧ  Ｉｄリスト情報要素及び新たなＣＳＧ−Ｉｄリスト（表１の行５及び５．１）の受信を必要とするからである。
【００４５】
しかしながら、ＨＮＢ１１が、ステップｓ４０において、ＣＳＧ−Ｉｄリストを含むＳ１セットアップ要求メッセージを送信することによって、クローズドアクセスモード又はハイブリッドアクセスモードでＭＭＥ６との接続をセットアップしたときに、この現行の手順に関しては重大な欠点がある。なぜならば、ＨＮＢ１１が、その後、その動作をオープンアクセスモードに変更した場合に、現行では、ＨＮＢ１１が、ＣＳＧ−ＩｄリストのＭＭＥ６のコピーを削除するようにＭＭＥ６に知らせる方法がないからである。この場合、ＨＮＢ１１のオープンアクセスモードへの変更に続いて、ステップｓ４２におけるＥＮＢ構成更新メッセージは、ＣＳＧ−Ｉｄリストを搬送せず、したがって、ＭＭＥ６は、ステップｓ４３に進むことができず、その結果として、以前に記憶されたＣＳＧ−Ｉｄリストを維持することになる。この結果、動作が不正確になるおそれがある。例えば、ＭＭＥ６は、ＣＳＧ−ＩｄがＨＮＢ１１用の期限切れのＣＳＧ−Ｉｄリストと整合するＵＥ３のみのアクセスを許可するおそれがある一方、ＨＮＢ１１が現在、オープン（非ＣＳＧ）アクセスモードで動作している場合であっても、ＣＳＧ−ＩｄがＨＮＢ１１用の期限切れのＣＳＧ−Ｉｄリストと整合しないＵＥ３のアクセスを拒絶するおそれがある。
【００４６】
したがって、本発明者は、図５を参照して説明する次の修正を提案している。図５に示すように、ＨＮＢ１１は、ステップｓ５０においてＳ１セットアップ要求メッセージを送信することによって、ＭＭＥ６との接続を開始する。ＨＮＢ１１は、最初に、クローズドアクセスモード又はハイブリッドアクセスモードのいずれかで動作するので、Ｓ１セットアップ要求メッセージは、ＨＮＢ１１に現在関連付けられているＣＳＧ−Ｉｄ（この例では：＜ＩＤ１，ＩＤ２，ＩＤ３＞）を含む。ステップｓ５１において、ＭＭＥ６は、受信したＣＳＧ−Ｉｄリストを自身のデータベース３１７に記憶する。この例では、ＨＮＢ１１は、その後、自身の動作をオープンアクセスモードに変更し、したがって、そのＣＳＧ−Ｉｄリストは廃棄される。モード変更の結果として、ＨＮＢ１１は、ステップｓ５２において、ＣＳＧ−Ｉｄリストを含まないＥＮＢ構成更新メッセージを送信する。ＭＭＥ６は、このメッセージを受信すると、このメッセージを処理し、ＣＳＧ−Ｉｄリストが受信メッセージに含まれていないと判断する。これに応答して、ＭＭＥ６は、自身のデータベース３１７を検索して、このデータベースが、そのＨＮＢ１１用の記憶されたＣＳＧ−Ｉｄリストを既に有しているか否かを調べる。ＭＭＥ６は、そのＨＮＢ１１用の記憶されたＣＳＧ−Ｉｄリストを見つけた場合、ステップｓ５３において、そのＣＳＧ−Ｉｄリストを削除する。ＣＳＧ−Ｉｄリストを削除することに成功したことをＨＮＢ１１に示すために、ＭＭＥ６は、ステップｓ５７において、ＥＮＢ構成更新肯定応答メッセージを返す。受信されたＥＮＢ構成更新メッセージに関して何らかの問題がある場合、ＭＭＥ６は、（ステップｓ５７の代わりに）ステップｓ５９において、ＥＮＢ構成更新エラーメッセージを返す。
【００４７】
この解決策の利点は、表１における情報要素に変更がないことである。しかしながら、ＨＮＢ１１が、そのハイブリッドモード又はクローズドモードで動作している場合、ＨＮＢ１１は、ＭＭＥ６に送信するいずれのＥＮＢ構成更新メッセージにもＣＳＧ−Ｉｄリストを含めなければならず、そうでない場合、ＭＭＥ６は、ＨＮＢ１１がオープンモードに変化していると考え、現在記憶されているＣＳＧ−Ｉｄリストを削除する。
【００４８】
次に、図６を参照して、代替的な実施形態を説明する。この代替的な実施形態は、上述した実施形態に関するこの問題点を克服するものである。図示するように、ＨＮＢ１１は、ステップｓ６０において、Ｓ１セットアップ要求メッセージを送信することによって、ＭＭＥ６との接続を開始する。このＳ１セットアップ要求メッセージは、ＨＮＢ１１に現在関連付けられているＣＳＧ−Ｉｄ（この例では：＜ＩＤ１，ＩＤ２，ＩＤ３＞）を含む。ステップｓ６１において、ＭＭＥ６は、受信したＣＳＧ−Ｉｄリストを自身のデータベース３１７に記憶する。ＣＳＧ−Ｉｄリスト内の変化が起こったときはいつでも、ＨＮＢ１１は、ＥＮＢ構成更新メッセージをＭＭＥ６に送信する。これは、ステップｓ６２に示されている。ＭＭＥ６のデータベース３１７に記憶されたＣＳＧ−Ｉｄを更新するために、ＨＮＢ１１は、削除する必要がある全てのＣＳＧ−Ｉｄ、この例では＜ＩＤ３＞をＥＮＢ構成更新メッセージに含めるとともに、ＭＭＥ６によって記憶されたＣＳＧ−Ｉｄリストに追加されるいずれかのＣＳＧ−Ｉｄ、この例では＜ＩＤ４＞も含める。オプションとして、＜ＩＤ１，ＩＤ２＞である、維持されるＣＳＧ−Ｉｄのリストも含めることができる。ＭＭＥ６は、ＥＮＢ構成更新メッセージを受信すると、このメッセージを処理し、削除されるＣＳＧ-ＩＤ及び追加されるＣＳＧ−Ｉｄを識別する。ステップｓ６３において、ＭＭＥ６は、当該ＭＭＥ６に記憶された、そのＨＮＢ１１用のＣＳＧ−Ｉｄリストから、削除用にマーキングされたＣＳＧ−Ｉｄ、すなわち＜ＩＤ３＞を削除する。ステップｓ６５において、ＭＭＥ６は、当該ＭＭＥ６に記憶された、そのＨＮＢ１１用のＣＳＧ−Ｉｄリストに、追加用にマーキングされたＣＳＧ−Ｉｄ、すなわち＜ＩＤ４＞を追加する。ステップｓ６６において、ＭＭＥ６は、当該ＭＭＥ６に記憶された、そのＨＮＢ１１用のリストに、残りのＣＳＧ−Ｉｄ、すなわち＜ＩＤ１，ＩＤ２＞を維持する。１つの実施形態では、ＭＭＥ６のデフォルト動作は、ステップｓ６２において送信されたＥＮＢ構成更新メッセージにおいて、削除用にマーキングされていないいずれのＣＳＧ−Ｉｄも維持することである。この場合、ＥＮＢ構成更新メッセージがＣＳＧ−Ｉｄを伴わずに受信された結果、ＭＭＥ６のデータベース３１７に記憶されたＣＳＧ−Ｉｄリストに変更は行われないことになる。ＣＳＧ−Ｉｄリストを更新することに成功したことをＨＮＢ１１に示すために、ＭＭＥ６は、ステップｓ６７においてＥＮＢ構成更新肯定応答メッセージを返す。受信されたＥＮＢ構成更新メッセージに関して何らかの問題がある場合、ＭＭＥ６は、（ステップｓ６７の代わりに）ステップｓ６９においてＥＮＢ構成更新エラーメッセージを返すように構成されている。
【００４９】
この実施形態において用いることができる情報要素の更なる詳細を以下の表２に与える。この表２において、行１〜４．２．１は、表１の行１〜４．２．１にそれぞれ対応している。行５は、ステップｓ６２におけるＥＮＢ構成更新メッセージに含まれる情報要素「ＣＳＧ−Ｉｄリスト」であり、ＭＭＥ６のデータベース３１７に記憶されたＣＳＧ−Ｉｄリストに追加されるＣＳＧ−Ｉｄを示すのに用いられる。行５．１は、ＭＭＥ６のデータベース３１７に以前に記憶されたＣＳＧ−Ｉｄリストに追加されるＣＳＧ−Ｉｄを含む。行６は、ステップｓ６２におけるＥＮＢ構成更新メッセージに含まれる情報要素「除去されるＣＳＧ−Ｉｄリスト」を含む。行６．１は、ＭＭＥ６のデータベース３１７に以前に記憶されたＣＳＧ−Ｉｄリストから削除されるＣＳＧ−Ｉｄを含む。この実施形態では、維持されるＣＳＧ−Ｉｄは、ステップｓ６２におけるＥＮＢ構成更新メッセージに含める必要はなく、したがって、表２に規定されていない。
【００５０】
【表２】
0005818047.tif 000003
【００５１】
図６を参照して説明した実施形態の１つの具体例を、同じステップ及び参照符号を用いて図７に示す。この例では、データベース３１７において、１つのＣＳＧ−Ｉｄ（すなわち、＜ＩＤ３＞）が削除され、残りのＣＳＧ−Ｉｄ（すなわち、＜ＩＤ１，ＩＤ２＞）が維持される。したがって、ステップｓ６２（図７では、ステップｓ６２’としてマーキングされている）において、ＥＮＢ構成更新メッセージは、ＭＭＥ６のデータベース３１７から削除されるＣＳＧ−Ｉｄを情報要素に含む。ステップｓ６３において、ＭＭＥ６は、このＣＳＧ−Ｉｄをデータベース３１７から削除し、ステップｓ６５を省く。なぜならば、受信されたＥＮＢ構成更新メッセージは、データベース３１７に追加されるＣＳＧ−Ｉｄを含んでいなかったからである。ＭＭＥは、その後、図６と同じように、ステップｓ６６においてその動作を継続する。
【００５２】
図８は、図６を参照して説明した実施形態に対する変形形態を、同じステップ及び参照符号を用いて示している。この変形形態では、ステップｓ６２（図８では、ステップｓ６２”としてマーキングされている）において、ＥＮＢ構成更新メッセージは、同じ情報要素、例えば表２の「ＣＳＧ  Ｉｄ」情報要素（行５．１）内に、ＭＭＥ６のデータベース３１７に追加されるＣＳＧ−Ｉｄ及び維持されるＣＳＧ−Ｉｄを含む。ステップｓ６２”の後に、ＭＭＥは、図６と同じように、ステップｓ６３においてその動作を継続する。
【００５３】
代替的に、維持されるＣＳＧ−Ｉｄは、表２において更に別の情報要素（図示せず）に含めることができる。この場合、表２は、それぞれ追加、削除、及び維持されるＣＳＧ−Ｉｄ用の別々の情報要素（すなわち、情報行）を含むことになる。
【００５４】
変更形態及び代替形態
上記で複数の詳細な実施形態が説明された。当業者であれば理解できるように、上記の実施形態に対し、該実施形態において具現化される本発明から依然として利益を受けながら、複数の変更及び代替を行うことができる。
【００５５】
上記の実施形態では、移動電話ベースの通信システムが説明された。当業者であれば理解できるように、本出願において記載されるシグナリング技法を他の通信システムに用いることができる。他の通信ノード又は通信デバイスは、例えば、個人用携帯情報端末、ラップトップコンピューター、ウェブブラウザー等のようなユーザーデバイスを含むことができる。
【００５６】
上記の実施形態では、複数のソフトウェアモジュールが説明された。当業者であれば理解できるように、それらのソフトウェアモジュールは、コンパイルされた形式でもコンパイルされていない形式でも提供することができ、コンピューターネットワークを介した信号として又は記録媒体上で、ＨＮＢ又は移動電話に供給することができる。さらに、このソフトウェアの一部又は全てによって実行される機能は、１つ又は複数の専用ハードウェア回路を用いて実行することができる。しかしながら、ソフトウェアモジュールの使用によって、基地局、ゲートウェイ及び移動電話の機能を更新するためにその基地局、ゲートウェイ、及び移動電話を更新するのが容易になるため、ソフトウェアモジュールの使用が好ましい。
【００５７】
上記実施形態では、ＨＮＢは、その動作モードの変更を暗示的に、すなわち、ＣＳＧ−ＩｄリストをＥＮＢ構成更新メッセージから省略することによって、又は削除用の前の全てのＣＳＧ−Ｉｄをマーキングすることによって示していた。代替的に、ＨＮＢは、別の適した情報要素又は別個のシグナリングメッセージ等を用いて、その現在の動作モードを明示的に示すことができる。この場合、図５を参照して説明した実施形態と比較すると、ＣＳＧ−Ｉｄリストは、リストが変化したときにのみ送信する必要があり、このリストは、ＨＮＢの動作モードがオープンアクセスモードに変化したときにのみＭＭＥによって削除され、アクセスモードのこの変化は、ＭＭＥに明示的に示される。
【００５８】
更に別の実施形態では、ＣＳＧ−Ｉｄリストに有効期限タイマーを割り当てることができ、ＨＮＢがこのタイマーの有効期限前に現在のＣＳＧ−Ｉｄリストを再送信しない場合、ＭＭＥによるＣＳＧ−Ｉｄリストの自動削除を行うことができる。
【００５９】
種々の他の変更は当業者には明らかであり、ここでは、これ以上詳しくは説明しない。
【００６０】
以下は、現在提案されている３ＧＰＰ標準規格において本発明を実施できる方法の詳細な説明である。種々の機構が不可欠であるか、又は必要であるように記述されるが、これは、例えば、その標準規格によって課せられる他の要件に起因して、提案された３ＧＰＰ標準規格の場合のみあてはまる場合がある。それゆえ、ここで述べられることは、本発明を多少なりとも制限するものと解釈されるべきではない。
【００６１】
変更要求
ＴＳ３６．４１３  ＣＲ  ｘｘｘｘ  ｒｅｖ−  現在のバージョン：１０．２．０
タイトル：ｅＮＢ構成更新におけるＣＳＧ更新
ＷＧへのソース：ＮＥＣ
ＴＳＧへのソース：ＲＡＮ３
作業項目コード：ＴＥＩ１０  日付：２２／０８／２０１１
カテゴリー：  Ｆ      リリース：リリース−１０
【００６２】
変更の理由：ｅＮＢ構成更新におけるＣＳＧ  ＩＤ更新についての現在の記述は、曖昧であり、２つの可能な解釈を意味する可能性がある。
【００６３】
現在の本文は、「サポートされるＣＳＧ  ＩＤ（複数の場合もある）が更新される場合、更新されないＣＳＧ  ＩＤを含めて、サポートされるＣＳＧ  ＩＤのリスト全体をＣＳＧ  ＩｄリストＩＥに含めるものとする。ＭＭＥは、ＣＳＧ  Ｉｄのリスト全体を上書きするものとする。」と記載している。
【００６４】
一方で、上記記載は、ｅＮＢが、ＭＭＥに以前示したＣＳＧ  ＩＤ（複数の場合もある）を変更したい場合、新たなサポートされるＣＳＧ  ＩＤのリスト全体を示すものとするという点で明確である。
【００６５】
他方で、ｅＮＢがＣＳＧ  ＩＤ（複数の場合もある）の空白のリストを送信した場合、これは、２つの可能な解釈につながる可能性がある。
（ａ）ｅＮＢは、以前構成されたＣＳＧ  ＩＤ（複数の場合もある）を変更しなくない。
（ｂ）ｅＮＢは、以前構成されたＣＳＧ  ＩＤ（複数の場合もある）をサポートしたくない。
【００６６】
一方で、上記シナリオの双方は関連しており、したがって、ｅＮＢが上記２つのシナリオをどのようにして別々に知らせるのかを明確にすることが必要である。
【００６７】
変更の概要：ｅＮＢが或るＣＳＧ  ＩＤ（複数の場合もある）をＭＭＥに既に知らせている一方でＣＳＧ  ＩＤ（複数の場合もある）の空白のリストを送信することは、ｅＮＢが以前構成されたＣＳＧ  ＩＤ（複数の場合もある）をもはやサポートしないことを意味することを明確にすることが提案される。ｅＮＢは、以前構成されたＣＳＧ  ＩＤ（複数の場合もある）（変更を有しない）を継続したい場合には、あらゆるｅＮＢ構成更新手順中に、以前構成されたＣＳＧ  ＩＤ（複数の場合もある）のリスト全体を送信するものとする。
【００６８】
仕様書（同じリリース）の前のバージョンに対するインパクトアセスメント：
仕様書（同じリリース）の前のバージョンに対して、このＣＲは、余り影響を与えない。
【００６９】
このＣＲは、機能的な観点及びプロトコルの観点の下で強い影響を有しない。このＣＲは、ＡＳＮ．１に対しても強い影響を有しない。
【００７０】
承認されない場合の結果：現行の仕様書は一貫性がなく、１つのシナリオが明らかに欠落している。これによって、実施の際の混乱及びＩｏＴ問題が生じる可能性がある。
【００７１】
影響のある節：８．７．４
【００７２】
８．７．４  ｅＮＢ構成更新
８．７．４．１  概説
ｅＮＢ構成更新手順の目的は、ｅＮＢ及びＭＭＥがＳ１インターフェース上で正しく相互動作するのに必要なアプリケーションレベル構成データを更新することである。この手順は、既存のＵＥに関係した状況がある場合には、その状況に影響を与えるものではない。
【００７３】
８．７．４．２  成功動作
ｅＮＢは、操作に使用したばかりの適切な一組の更新された構成データを含むＥＮＢ構成更新メッセージをＭＭＥに送信することによって手順を開始する。ＭＭＥは、構成データを更新することに成功したことを肯定応答するために、ＥＮＢ構成更新肯定応答メッセージを用いて応答する。情報要素（複数の場合もある）が、ＥＮＢ構成更新メッセージに含まれていない場合、ＭＭＥは、対応する構成データが変更されていないと解釈するものとし、特に指定がない限り、既存の関係した構成データを用いてＳ１を動作させ続けるものとする。
【００７４】
サポートされるＴＡ(Tracking Area)（複数の場合もある）が更新される場合、更新されていないものを含めて、サポートされるＴＡのリスト全体が、サポートされるＴＡ  ＩＥに含まれるものとする。ＭＭＥは、ＴＡのリスト全体を上書きするものとする。
【００７５】
サポートされるＣＳＧ  ＩＤ（複数の場合もある）が更新される場合、更新されていないものを含めて、サポートされるＣＳＧ  ＩＤのリスト全体が、ＣＳＧ  ＩｄリストＩＥに含まれるものとする。ＭＭＥは、ＣＳＧ  Ｉｄのリスト全体を上書きするものとする。サポートされるＣＳＧ  ＩＤ（複数の場合もある）が維持される場合、以前構成されたとおりのＣＳＧ  ＩＤのリスト全体が、ＣＳＧ  ＩｄリストＩＥに含まれるものとする。ＣＳＧ  ＩｄリストＩＥが受信されない場合、ＭＭＥは、以前構成されたＣＳＧ  ＩＤ（複数の場合もある）のリスト全体を除去するものとする。
【００７６】
ＥＮＢ構成更新メッセージが、ｅＮＢ名ＩＥを含む場合、ＭＭＥは、このＩＥを、そのｅＮＢの人間可読名として用いることができる。
【００７７】
デフォルトページングＤＲＸ  ＩＥが含まれる場合、ＭＭＥは、そのｅＮＢ用の、以前記憶されたあらゆるデフォルトページングＤＲＸ値を上書きするものとする。
【００７８】
更新された構成データは、ｅＮＢ及びＭＭＥの双方に記憶されるものとし、ＴＮＬ関連付けの継続期間の間、又はいずれかの更なる更新がｅＮＢによってトリガーされるまで用いられるものとする。
【００７９】
ｅＮＢは、前のｅＮＢ構成更新手順が完了した後にのみ、更なるｅＮＢ構成更新手順を開始することができる。
【００８０】
８．７．４．３  不成功動作
ＭＭＥは、更新を受け付けることができない場合、ＥＮＢ構成更新失敗メッセージ及び適切な原因値を用いて応答するものとする。
【００８１】
ＥＮＢ構成更新失敗メッセージが、待ち時間（Time To Wait）ＩＥを含む場合、ｅＮＢは、同じＭＭＥに対するＥＮＢ構成更新手順を再開する前に、少なくとも示された時間の間待機するものとする。双方のノードは、それらのそれぞれの構成データを用いてＳ１を動作させ続けるものとする。
【００８２】
８．７．４．４  異常状態
ｅＮＢが、ｅＮＢ構成更新手順を開始した後に、ＥＮＢ構成更新肯定応答メッセージもＥＮＢ構成更新失敗メッセージも受信しない場合、新たなＥＮＢ構成更新メッセージの内容が、前に肯定応答されなかったＥＮＢ構成更新メッセージの内容と同一であることを条件として、ｅＮＢは、更なるｅＮＢ構成更新手順を同じＭＭＥに対して再開することができる。
【００８３】
１９．２．２．９  ｅＮＢ構成更新手順
ｅＮＢ構成更新手順は、ｅＮＢにおける更新された構成済みデータを提供するのに用いられる。ｅＮＢ構成更新手順は、ｅＮＢによってトリガーされる。
【００８４】
−ｅＮＢは、サポートされるＴＡ及びブロードキャストされるＰＬＭＮのような更新された構成済みデータを含むＥＮＢ構成更新メッセージをＭＭＥに送信することによって、ｅＮＢ構成更新手順を開始する。１つ又は複数のサポートされるＴＡを更新する必要がある場合に、ｅＮＢは、変更されていないものを含めて、ＴＡ（複数の場合もある）のリスト全体をＥＮＢ構成更新メッセージで提供するものとする。
【００８５】
−ＭＭＥは、提供された構成データを更新することに成功したことを肯定応答するために、ＥＮＢ構成更新肯定応答メッセージを用いて応答する。
【００８６】
−ＭＭＥは、ＥＮＢ構成更新メッセージに含まれる受信された構成データを上書きして記憶するものとする。ＥＮＢ構成更新メッセージに含まれていない構成データは、ＣＳＧ  ＩＤ（複数の場合もある）を除いて、依然として有効であるとＭＭＥによって解釈される。ＣＳＧ  ＩＤ（複数の場合もある）の場合、以前構成されたＣＳＧ  ＩＤ（複数の場合もある）が、同じＣＳＧ  ＩＤ（複数の場合もある）を維持するために常に明示的に示される。提供されたＴＡ（複数の場合もある）について、ＭＭＥは、サポートされるＴＡ（複数の場合もある）のリスト全体を上書きするものとする。
【００８７】
−ＭＭＥが、受信した構成更新を受け付けることができない場合、ＭＭＥは、拒否の理由を示す適切な原因値を含むＥＮＢ構成更新失敗メッセージを用いて応答するものとする。ＭＭＥは、オプションとして、ｅＮＢが同じＭＭＥに対してｅＮＢ構成更新手順をいつ再び再開することを許可されるのかをＥＮＢ構成更新失敗メッセージ内に示す。更新が不成功である場合、ｅＮＢ及びＭＭＥは、既存の構成データを継続するものとする。
【００８８】
本出願は、２０１１年８月１２日に出願された英国特許出願第１１１３９３９．１号を基礎としており、この英国特許出願の優先権の利益を主張する。この英国特許出願の開示は、引用することによりその全体が本明細書の一部をなす。
【図１】
0005818047.tif 000004
【図２】
0005818047.tif 000005
【図３】
0005818047.tif 000006
【図４】
0005818047.tif 000007
【図５】
0005818047.tif 000008
【図６】
0005818047.tif 000009
【図７】
0005818047.tif 000010
【図８】
0005818047.tif 000011
【図９】
0005818047.tif 000012
【図１０】
0005818047.tif 000013
【図１１】
0005818047.tif 000014